(57)【特許請求の範囲】
【請求項１】
移動体通信網（１００）の通信サービスを複数の通信デバイスの（２１、２２、２３）に提供する方法であって、前記移動体通信網（１００）はアクセス網（１１０）及びコア網（１２０）を含み、前記アクセス網（１１０）は前記移動体通信網（１００）の複数の無線セル（１０，１１）を含み、前記移動体通信網（１００）は前記複数の通信デバイス（２１、２２、２３）又は前記複数の通信デバイス（２１、２２、２３）のサブセットに複数の利用可能なサービス機能を提供することが可能であり、前記利用可能なサービス機能はサービス機能のグループに対応し、前記サービス機能のグループは、
前記移動体通信網（１００）が提供する様々な程度のモビリティ機能、
前記移動体通信網（１００）が提供する異なる品質のサービスレベル、
前記移動体通信網（１００）が提供する異なるレベルのセキュリティ対策、
前記移動体通信網（１００）が提供する様々な程度の識別処理、
を少なくとも含み、
前記方法は、前記移動体通信網（１００）と複数の通信デバイス（２１、２２、２３）との間に接続を確立するか又はデータの交換を開始するステップを含み、
前記接続の確立、若しくは
前記データの交換の開始
の前に又はの際に、サービス機能情報（２０１）が前記移動体通信網（１００）から前記複数の通信デバイス（２１、２２、２３）の少なくとも一部の通信デバイス（２１、２２、２３）に送られ、前記サービス機能情報（２０１）は前記利用可能なサービス機能の少なくとも一部を、前記サービス機能のグループ内で、前記複数の通信デバイス（２１、２２、２３）の前記通信デバイス（２１、２２、２３）に示し、
前記サービス機能情報（２０１）に続いて、前記移動体通信網（１００）の第１の状況で送られ、さらなるサービス機能情報が前記移動体通信網（１００）から前記複数の通信デバイス（２１、２２、２３）の少なくとも一部の通信デバイス（２１、２２、２３）に送られ、前記さらなるサービス機能情報は、前記サービス機能情報（２０１）と比較すると、
サービス機能のグループ内の異なる利用可能なサービス機能を示し、特に前記さらなるサービス機能情報の時点での前記移動体通信網（１００）の状況であって、特にネットワークの負荷を反映すること、又は、
サービス機能のグループ内の異なる利用可能なサービス機能に関連する異なる課金情報を示し、特に前記さらなるサービス機能情報の時点での前記移動体通信網（１００）の状況であって、特にネットワークの負荷を反映すること、
のいずれかである方法。
【請求項２】
前記サービス機能情報（２０１）は、エンティティによって又は前記移動体通信網（１００）のアクセス網（１１０）のネットワークノードによって受信されるようにブロードキャスト制御チャネルに、送信される請求項１に記載の方法。
【請求項３】
前記サービス機能情報（２０１）は、特に専用の信号化を用いて又はブロードキャスト制御チャネル（ＢＣＣＨ）が前記複数の通信デバイス（２１、２２、２３）のそれぞれの通信デバイス（２１、２２、２３）によって受信されるようにブロードキャスト制御チャネルに、送信される請求項２に記載の方法。
【請求項４】
サービス機能選択情報（２０２）は、前記複数の通信デバイス（２１、２２、２３）の少なくとも第１の通信デバイス（２１）によって前記アクセス網（１１０）に送られ、前記サービス機能選択情報（２０２）はサービス機能の少なくとも一つのグループでの一つ以上のサービス機能を少なくとも暗に示す請求項１から３のいずれか一項に記載の方法。
【請求項５】
前記サービス機能情報（２０１）は課金情報も含み、前記課金情報は異なるサービス機能に関連する請求項１から４のいずれか一項に記載の方法。
【請求項６】
前記課金情報は、異なる利用可能なサービス機能についての異なる課金レベルを示す請求項５に記載の方法。
【請求項７】
前記通信デバイス（２１、２２、２３）の少なくとも一部に様々な程度のモビリティ機能を提供する移動体通信網（１００）に関連したサービス機能のグループは、
モビリティのサポートなし、
ベストエフォート型のモビリティのサポート、
コンテキスト転送のサポート、
ターゲットの無線セルの準備なしの完全なモビリティのサポート、
ターゲットの無線セルの準備ありの完全なモビリティのサポート、
ターゲットの無線セルの準備なしの完全なモビリティのサポートであって、ターゲットの無線セルが輻輳する場合にも備える、
の一つ以上を含む請求項１から６のいずれか一項に記載の方法。
【請求項８】
前記通信デバイス（２１、２２、２３）の少なくとも一部にサービスレベルの異なる品質を提供する移動体通信網（１００）に関連するサービス機能のグループは、定義されたサービスの品質なし（“ベストエフォート”）、
保証ビットレート、
最小ビットレート、
低データ処理の優先順位、
標準データ処理の優先順位、
高データ処理の優先順位、
許容される最大パケット遅延、
の一つ以上を含む請求項１から７のいずれか一項に記載の方法。
【請求項９】
前記移動体通信網（１００）の通信デバイス（２１、２２、２３）の少なくとも一部にセキュリティ対策の異なるレベルを提供することに関連したサービス機能のグループは、
セキュリティを全くサポートしない、
低レベルのセキュリティサポート、
高レベルのセキュリティサポート、
高信頼性保護セキュリティサポート、
の一つ以上を含む請求項１から８のいずれか一項に記載の方法。
【請求項１０】
前記通信デバイス（２１、２２、２３）の少なくとも一部に様々な程度の識別処理を提供する移動体通信網（１００）に関連したサービス機能のグループは、
前記移動体通信網（１００）による識別のサポートなし、
前記移動体通信網（１００）によってサポートされた識別、
の一つ以上を含む請求項１から９のいずれか一項に記載の方法。
【請求項１１】
複数の通信デバイス（２１、２２、２３）に通信サービスを提供する移動体通信網（１００）であって、前記移動体通信網（１００）はアクセス網（１１０）及びコア網（１２０）を含み、前記アクセス網（１１０）は前記移動体通信網（１００）の複数の無線セル（１０、１１）を含み、前記移動体通信網（１００）は前記複数の通信デバイス（２１、２２、２３）又は前記複数の通信デバイス（２１、２２、２３）のサブセットに複数の利用可能なサービス機能を提供することが可能であり、前記利用可能なサービス機能は前記サービス機能のグループに対応し、前記サービス機能のグループは、
前記移動体通信網（１００）が提供する様々な程度のモビリティ機能、
前記移動体通信網（１００）が提供する異なる品質のサービスレベル、
前記移動体通信網（１００）が提供する異なるレベルのセキュリティ対策、
前記移動体通信網（１００）が提供する様々な程度の識別処理、
を少なくとも含み、
前記移動体通信網（１００）は、前記移動体通信網（１００）と前記複数の通信デバイス（２１、２２、２３）との間に、接続が確立されるか、又はデータの交換が開始されるように構成され、
前記接続の確立、若しくは
データの交換の開始
の前に又はの際に、
サービス機能情報（２０１）が移動体通信網（１００）から前記複数の通信デバイス（２１、２２、２３）の少なくとも一部の通信デバイス（２１、２２、２３）に送られ、前記サービス機能情報（２０１）は、利用可能なサービス機能の少なくとも一部を、サービス機能のグループ内で、前記複数の通信デバイス（２１、２２、２３）の前記通信デバイス（２１、２２、２３）に示し、
前記サービス機能情報（２０１）に続いて、前記移動体通信網（１００）の第１の状況で送られ、さらなるサービス機能情報が前記移動体通信網（１００）から前記複数の通信デバイス（２１、２２、２３）の少なくとも一部の通信デバイス（２１、２２、２３）に送られ、前記さらなるサービス機能情報は、前記サービス機能情報（２０１）と比較すると、
サービス機能のグループ内の異なる利用可能なサービス機能を示し、特に前記さらなるサービス機能情報の時点での前記移動体通信網（１００）の状況であって、特にネットワークの負荷を反映すること、又は、
サービス機能のグループ内の異なる利用可能なサービス機能に関連する異なる課金情報を示し、特に前記さらなるサービス機能情報の時点での前記移動体通信網（１００）の状況であって、特にネットワークの負荷を反映すること、
のいずれかである移動体通信網。
【請求項１２】
サービス機能選択情報（２０２）は、複数の通信デバイス（２１、２２、２３）のうちの少なくとも第１の通信デバイス（２１）から前記アクセス網（１１０）によって受け取られ、前記サービス機能選択情報（２０２）はサービス機能の少なくとも一つのグループにおける一つ以上のサービス機能を少なくとも暗に示す請求項１１に記載の移動体通信網（１００）。
【請求項１３】
通信サービスを複数の通信デバイス（２１、２２、２３）に提供する移動体通信網（１００）に関連して使用されるよう適応された通信デバイスであって、前記通信デバイス及び前記複数の通信デバイス（２１、２２、２３）は前記移動体通信網（１００）のアクセス網（１１０）を介して前記移動体通信網（１００）と通信するように構成され、前記アクセス網（１１０）は複数の無線セル（１０、１１）を含み、前記移動体通信網（１００）は複数の利用可能なサービス機能を前記通信デバイス及び前記複数の通信デバイス（２１、２２、２３）又は前記複数の通信デバイス（２１、２２、２３）のサブセットに提供することが可能であり、前記利用可能なサービス機能はサービス機能のグループに対応し、前記サービス機能のグループは、
前記移動体通信網（１００）が提供する様々な程度のモビリティ機能、
前記移動体通信網（１００）が提供する異なる品質サービスレベル、
前記移動体通信網（１００）が提供する異なるレベルのセキュリティ対策、
移動体通信網（１００）が提供する様々な程度の識別処理、
を少なくとも含み、
前記通信デバイスは前記移動体通信網（１００）との間で接続を確立するか又はデータの交換を開始するように構成され、
前記接続の確立、若しくは
データの交換の開始
の前に又はの際に、
サービス機能情報（２０１）が前記移動体通信網（１００）から前記通信デバイスによって受け取られ、前記サービス機能情報（２０１）は、前記利用可能なサービス機能の少なくとも一部を、サービス機能のグループ内で、前記通信デバイスに示し、サービス機能選択情報（２０２）は前記通信デバイスによって前記アクセス網（１１０）に送られ、前記サービス機能選択情報（２０２）はサービス機能の少なくとも一つのグループでの複数のサービス機能の一つ以上を少なくとも暗に示し、
前記サービス機能情報（２０１）に続いて、前記移動体通信網（１００）の第１の状況で送られ、さらなるサービス機能情報が前記移動体通信網（１００）から前記複数の通信デバイス（２１、２２、２３）の少なくとも一部の通信デバイス（２１、２２、２３）に送られ、前記さらなるサービス機能情報は、前記サービス機能情報（２０１）と比較すると、
サービス機能のグループ内の異なる利用可能なサービス機能を示し、特に前記さらなるサービス機能情報の時点での前記移動体通信網（１００）の状況であって、特にネットワークの負荷を反映すること、又は、
サービス機能のグループ内の異なる利用可能なサービス機能に関連する異なる課金情報を示し、特に前記さらなるサービス機能情報の時点での前記移動体通信網（１００）の状況であって、特にネットワークの負荷を反映すること、
のいずれかである通信デバイス。
【請求項１４】
移動体通信網（１００）の通信サービスを複数の通信デバイス（２１、２２、２３）に提供するシステムであって、前記システムは、移動体通信網（１００）及び複数の通信デバイス（２１、２２、２３）を含み、前記移動体通信網（１００）はアクセス網（１１０）及びコア網（１２０）を含み、前記アクセス網（１１０）は前記移動体通信網（１００）の複数の無線セル（１０、１１）を含み、前記移動体通信網（１００）は、前記複数の通信デバイス（２１、２２、２３）に、又は前記複数の通信デバイス（２１、２２、２３）のサブセットに、複数の利用可能なサービス機能の提供することが可能であり、前記利用可能なサービス機能はサービス機能のグループに対応し、前記サービス機能のグループは、
移動体通信網（１００）が提供する様々な程度のモビリティ機能、
移動体通信網（１００）が提供する異なる品質のサービスレベル、
移動体通信網（１００）が提供する異なるレベルのセキュリティ対策、
移動体通信網（１００）が提供する様々な程度の識別処理、
を少なくとも含み、
前記システムは、前記移動体通信網（１００）と複数の通信デバイス（２１、２２、２３）との間で、接続が確立されるか又はデータの交換が開始されるように構成され、
接続の確立、若しくは
データの交換の開始
の前に又はの際に、
サービス機能情報（２０１）が前記移動体通信網（１００）から前記複数の通信デバイス（２１、２２、２３）の少なくとも一部の通信デバイス（２１、２２、２３）に送信され、前記サービス機能情報（２０１）は、前記利用可能なサービス機能の少なくとも一部を、サービス機能のグループ内で、前記複数の通信デバイス（２１、２２、２３）の通信デバイス（２１、２２、２３）に示し、
前記サービス機能情報（２０１）に続いて、前記移動体通信網（１００）の第１の状況で送られ、さらなるサービス機能情報が前記移動体通信網（１００）から前記複数の通信デバイス（２１、２２、２３）の少なくとも一部の通信デバイス（２１、２２、２３）に送られ、前記さらなるサービス機能情報は、前記サービス機能情報（２０１）と比較すると、
サービス機能のグループ内の異なる利用可能なサービス機能を示し、特に前記さらなるサービス機能情報の時点での前記移動体通信網（１００）の状況であって、特にネットワークの負荷を反映すること、又は、
サービス機能のグループ内の異なる利用可能なサービス機能に関連する異なる課金情報を示し、特に前記さらなるサービス機能情報の時点での前記移動体通信網（１００）の状況であって、特にネットワークの負荷を反映すること、
のいずれかであるシステム。
【請求項１５】
コンピュータ可読プログラムコードを含むプログラムであって、前記コンピュータ可読プログラムコードは、コンピュータで、及び／又は移動体通信網（１００）のネットワークノードで又は複数のネットワークノードで、及び／又は通信デバイス（２１、２２、２３）で、又は一部が移動体通信網（１００）のネットワークノード又は複数のネットワークノードで及び一部が通信デバイス（２１、２２、２３）で実行されたとき、前記コンピュータ及び／又はネットワークノード又は前記複数のネットワークノード及び／又は前記通信デバイス（２１、２２、２３）に請求項１から８のいずれか一項に記載の方法を実行させるプログラム。
【請求項１６】
移動体通信網（１００）の通信サービスを複数の通信デバイス（２１、２２、２３）に提供するコンピュータプログラムであって、前記コンピュータプログラムは記憶媒体に格納され、前記コンピュータプログラムはプログラムコードを含み、前記プログラムコードは、コンピュータで、及び／又は移動体通信網（１００）のネットワークノードで、又は複数のネットワークノードで、及び／又は通信デバイス（２１、２２、２３）で、又は一部が移動体通信網（１００）のネットワークノード又は複数のネットワークノードで及び一部が通信デバイス（２１、２２、２３）で実行されたとき、前記コンピュータ及び／又はネットワークノード又は前記複数のネットワークノード及び／又は前記通信デバイス（２１、２２、２３）に請求項１から８のいずれか一項に記載の方法を実行させるコンピュータプログラム。
【発明の詳細な説明】
【技術分野】
【０００１】
［０００１］本発明は移動体通信網の通信サービスを複数の通信デバイスに提供する方法であって、移動体通信網は複数の利用可能なサービス機能を複数の通信デバイス又は複数の通信デバイスのサブセットに提供することが可能であり、移動体通信網が様々な程度のモビリティ機能及び／又は異なる品質のサービスレベル及び／又は異なるレベルのセキュリティ対策及び／又は様々な程度の識別処理を提供するように、利用可能なサービス機能はサービス機能のグループに対応している。
【０００２】
［０００２］また、本発明は、通信サービスを複数の通信デバイスに提供する移動体通信網に関し、移動体通信網は複数の利用可能なサービス機能を複数の通信デバイス又は複数の通信デバイスのサブセットに提供することが可能であり、移動体通信網が様々な程度のモビリティ機能及び／又は異なる品質のサービスレベル及び／又は異なるレベルのセキュリティ対策及び／又は様々な程度の識別処理を提供するように、利用可能なサービス機能はサービス機能のグループに対応している。
【０００３】
［０００３］さらに、本発明は、そのような移動体通信網に関連して使用されるように適応された通信デバイス並びに移動体通信網及び複数の通信デバイスを含むシステムに関する。
【０００４】
［０００４］さらにまた、本発明は、プログラム及び移動体通信網の通信サービスを複数の通信デバイスに提供するコンピュータプログラム製品に関する。
【背景技術】
【０００５】
［０００５］第五世代の移動網又は移動体通信網の枠組み内で、移動体通信網は、前の世代の移動体通信網に求められたものを超えた広範囲の要件を満たさなければならない。
【０００６】
［０００６］要件の範囲は、毎秒数キロビットのデータレートから始まり毎秒数ギガビットのデータレートまで、高い要件のレイテンシー要件から１ｍｓ、そして毎日数バイトのみがあまり時間に厳しくない方法で転送されるマシン対マシン通信（Ｍ２Ｍ通信）などのいくつかのアプリケーションについての遅延時間により厳しくない遅延要件までの帯域幅の効率的な利用のサポートを含んでいる。
【０００７】
［０００７］モビリティ要件は、数百万の接続されたデバイス（モノのインターネット）の静止又はほぼ静止のシナリオから高速で移動する自動車又は列車での高速モバイルブロードバンド接続までの範囲にわたっている。
【０００８】
［０００８］この広い範囲の適用される要件が与えられ、これらの非常に異なる要件を依然として非常に異なる方法で実行する移動体通信網を提供するという課題がある。
【発明の概要】
【０００９】
［０００９］本発明の目的は、通信デバイスのそれぞれの要件に従う通信サービスを提供することの差別化が可能であるように、特にサービス機能のグループに対応する移動体通信網のサービス機能に関し、移動体通信網が様々な程度のモビリティ機能及び／又は異なる品質のサービスレベル及び／又は異なるレベルのセキュリティ対策及び／又は異なる程度の識別処理を提供するように、複数の通信デバイスへの移動体通信網の通信サービスを提供する技術的に簡単な効率的で特に費用効果がある解決策を提供することである。本発明による解決策は、移動無線網（又は移動体通信網）、特に第五世代移動無線ネットワークがそのネットワークサービス機能を外界にさらすことを可能にし、さらにネットワークサービス（又はサービス機能）のオンデマンド提供を通信デバイスに許容する可能性を提供することになる。
【００１０】
［００１０］本発明の目的は、移動体通信網の通信サービスを複数の通信デバイスに提供する方法によって達成され、移動体通信網はアクセス網及びコア網を含み、アクセス網は移動体通信網の複数の無線セルを含み、移動体通信網は、複数の利用可能なサービス機能を複数の通信デバイス又は複数の通信デバイスのサブセットに提供することが可能であり、利用可能なサービス機能はサービス機能のグループに対応し、サービス機能のグループは、
移動体通信網が提供する様々な程度のモビリティ機能、
移動体通信網が提供する異なる品質のサービスレベル、
移動体通信網が提供する異なるレベルのセキュリティ対策、
移動体通信網が提供する様々な程度の識別処理、
を少なくとも含み、
この方法は移動体通信網と複数の通信デバイスとの間で接続を確立するか又はデータの交換を開始するステップを含み、
接続の確立、若しくは
データの交換の開始
の前に又はの際に、
サービス機能情報は移動体通信網から複数の通信デバイスの少なくとも一部の通信デバイスに送られ、サービス機能情報は、利用可能なサービス機能の少なくとも一部を、サービス機能のグループ内で、複数の通信デバイスの通信デバイス（２１、２２、２３）に示す。
【００１１】
［００１１］したがって、本発明によると、移動体通信網がサービス機能のグループにおける複数の利用可能なサービス機能を提供し及び提供することが可能であるように移動体通信網の通信サービスを提供する柔軟な方法が提供されることが有利なことに可能であり、したがって様々な程度のモビリティ機能及び／又は異なる品質のサービスレベル及び／又は異なるレベルのセキュリティ対策及び／又は様々な程度の識別処理を提供するか又は提供することが可能である。
【００１２】
［００１２］通信デバイスのユースケースに応じて、異なるネットワークサービス機能は特定の（モバイル）デバイスにさらされることができ、逆に、それらのユースケースに応じてそのようなサービス（又はサービス機能）を予約し、関連したサービス機能を提供することができる。
【００１３】
［００１３］現在の方法及び／又はシステムと比較した本発明に従う移動体通信網及び／又はシステムの主な利益は、ユースケースに依存し、及び特定の通信デバイスによって使用されたサービス機能の特定のセットに依存し、手続はこの与えられたユースケースには不必要であるという事実によってスキップすることができる。したがって、有利なことに、システム定義及び実装を大幅に簡略化することが可能である。
【００１４】
［００１４］本発明に従う簡単なシナリオは、データ損失なしの通信デバイスの移動体通信網の異なるモビリティ関連機能の適用性である。例えば、スマートホンのようなモバイルデバイスは完全なモビリティサポートを要するが（ユーザはデバイスをフルスピードで走行している間に使用することがあるため）、静止した計量センサは典型的にモビリティ要件を全く持たず、したがって、移動体通信網のモビリティ関連のサービス機能のグループに関し、異なるサービス機能はそのようなデバイスに通信サービスを提供するときに異なる通信デバイスに適用されることになる。
【００１５】
［００１５］（例えば第三世代移動体通信網の及び／又は第四世代移動体通信網の）すべての従来から知られたセルラシステムにおいて、基礎となる仮定は、常に、モビリティ、例えば再送のようなリンク層の信頼性、認証及びセキュリティ要件のような一般的な特徴をサポートについて典型的に差異がないということであった。
【００１６】
［００１６］この点において、上述のアプリケーションシナリオについての与えられたネットワーク機能（又は従来公知の移動体通信網のサービス機能のセット）は、求められたサービスのいずれについてもすべての異なる通信デバイスによって常に利用されてきた。
【００１７】
［００１７］移動体通信網の機能は、従来公知の移動体通信網では、この意味で通信デバイスにさらされることはなく、これは、基礎となる仮定が、常に、端末（又は通信デバイス）がネットワーク特徴を典型的には常に利用しなければならないというものであったからである。
【００１８】
［００１８］本発明に従うと、しかしながら、この方法は、移動体通信網と複数のデバイスとの間に接続を確立し又はデータの交換の開始するステップを含み、接続の確立若しくはデータの交換の開始の前に又はその際に、サービス機能情報が移動体通信網から複数の通信デバイスの少なくとも一部の通信デバイスに送られるようにされ、サービス機能情報は、利用可能なサービス機能の少なくとも一部を、サービス機能のグループ内で、複数の通信デバイスの通信デバイス（２１、２２、２３）に示す。
【００１９】
［００１９］したがって、（移動体通信網内で他の通信デバイスに向けた移動体通信網のサービス機能に関して）この通信デバイスに向けた移動体通信網のサービス機能の区別が可能であるように、移動体通信網と通信デバイスとの間に情報の交換が存在することが有利なことに可能である
【００２０】
［００２０］本発明の好ましい実施形態によれば、サービス機能情報は、エンティティによって又は移動体通信網のアクセス網のネットワークノードによって、特に、ブロードキャスト制御チャネルが複数の通信デバイスのそれぞれの通信デバイスによって受信されるように、専用の信号化又はブロードキャスト制御チャネル（ＢＣＣＨ）によって、送信される。
【００２１】
［００２１］したがって、サービス機能情報の送信は、専用の信号化による、すなわち、送信は特定の通信デバイスのために特別に提供されることが有利なことに可能である。代替的又は累積的に、本発明によると、サービス機能情報の送信は、ブロードキャスト制御チャネル（ＢＣＣＨ）上のようなブロードキャストによって提供されることも可能である。ブロードキャスト制御チャネルは、典型的には複数の通信デバイス（この複数の通信デバイスはそれぞれの通信デバイスを含んでいる。）によって受信される。
【００２２】
［００２２］本発明によれば、サービス機能選択情報はアクセス網に複数の通信デバイスのうちの少なくとも第１の通信デバイス送信されることがさらに好ましく、サービス機能選択情報はサービス機能の少なくとも一つのグループで一つ以上のサービス機能を暗に示している。
【００２３】
［００２３］したがって、通信デバイスは、サービス機能選択情報を送信することによって移動体通信網の提供されたサービス機能に関する選択を送信することが有利なことに可能である。
【００２４】
［００２４］本発明によると、サービス機能選択情報を送信することによって、（サービス機能の異なるグループについて）通信デバイスの選択のセットが移動体通信網に送信されることが可能であり、好ましい。しかしながら、サービス機能選択情報がサービス機能のグループの一つでのサービス機能の選択に関係のみすることが好ましい。
【００２５】
［００２５］本発明によれば、いずれかのサービス機能情報が課金情報を含み、課金情報は、異なる利用可能なサービスの機能に、特に異なる利用可能なサービス機能についての異なる課金レベルを示す課金情報に関連していることが好ましい。
【００２６】
［００２６］したがって、通信デバイスに利用可能な（サービス機能のグループ内で）あり得るサービス機能だけでなく、異なる利用可能なサービス機能についての異なる課金レベルを示す課金情報に対応するような追加の情報も提供することが有利なことに可能である。
【００２７】
［００２７］本発明の好ましい実施形態によれば、通信デバイスの少なくとも一部に様々な程度のモビリティ機能を提供する移動体通信網に関連するサービス機能のグループは、
モビリティのサポートなし、
ベストエフォート型のモビリティのサポート、
コンテキスト転送のサポート、
ターゲットの無線セルの準備なしの完全なモビリティのサポート、
ターゲットの無線セルの準備ありの完全なモビリティのサポート、
無線セルの準備なしの完全なモビリティのサポートであって、ターゲットの無線セルが輻輳する場合にも備える、
の一つ以上を含んでいる。
【００２８】
［００２８］したがって、モビリティ機能に関連する広範囲の異なるサービス機能を提供することが有利なことに可能である。
【００２９】
［００２９］本発明のさらに好ましい実施形態によれば、少なくとも一部の通信デバイスに異なる品質のサービスレベルを提供する移動体通信網に関連するサービス機能のグループは、
規定されたサービスの品質（“ベストエフォート”）なし、
保証されたビットレート、
最小ビットレート、
低データ処理の優先順位、
標準データ処理の優先順位、
高データ処理の優先度、
許容される最大パケット遅延、
の一つ以上を含んでいる。
【００３０】
［００３０］したがって、異なる品質のサービスレベルに関連する広範囲の他のサービス機能を提供することが有利なことに可能である。
【００３１】
［００３１］本発明のさらに好ましい実施形態によれば、通信デバイスの少なくとも一部に異なるレベルのセキュリティ対策を提供する移動体通信網に関連するサービス機能のグループは、
セキュリティのサポートが全くない、
低レベルのセキュリティのサポート、
高レベルのセキュリティのサポート、
高信頼性で保護されたセキュリティのサポート、
の少なくとも一つを含んでいる。
【００３２】
［００３２］したがって、異なるレベルのセキュリティ対策に関連する広範囲の他のサービス機能を提供することが有利なことに可能である。
【００３３】
［００３３］本発明のさらに好ましい実施形態によれば、通信デバイスの少なくとも一部に様々な程度の識別処理を提供する移動体通信網に関連するサービス機能のグループは、
移動体通信網による識別のサポートなし、
移動体通信網による識別のサポートあり、
の一つ以上を含んでいる。
【００３４】
［００３４］したがって、異なるレベルの識別処理に関連する広範囲の他のサービス機能を提供することが有利なことに可能である。
【００３５】
［００３５］本発明のさらなる実施形態によれば、サービス機能情報に続いて、移動体通信網の第１の状況で送られ、さらなるサービス機能情報が移動体通信網から複数の通信デバイスの通信デバイスの少なくとも一部に送られ、さらなるサービス機能情報は、サービス機能情報と比較すると、
サービス機能のグループ内の異なる利用可能なサービス機能を示し、特にさらなるサービス機能情報の時点での前記移動体通信網の状況であって、
特にネットワークの負荷を反映すること、又は、
サービス機能のグループ内の異なる利用可能なサービス機能に関連する異なる課金情報を示し、特にさらなるサービス機能情報の時点での移動体通信網の状況であって、特にネットワークの負荷を反映すること、
のいずれかである。
【００３６】
［００３６］したがって、本発明によれば、移動体通信網によって、通信デバイスにサービス機能の通信を、特に移動体通信網の異なる状況、特に移動体通信網の異なるネットワーク負荷状況を反映し、柔軟に適応させることが有利なことに可能である。
【００３７】
［００３７］また、本発明は、複数の通信デバイスに通信サービスを提供する移動体通信網に関し、
移動体通信網が提供する様々な程度のモビリティ機能、
移動体通信網が提供する異なる品質のサービスレベル、
移動体通信網が提供する異なるレベルのセキュリティ対策、
移動体通信網が提供する様々な程度の識別処理、
を少なくとも含み、
移動体通信網は移動体通信網と複数の通信デバイスとの間に、接続が確立されるか、又はデータの交換が開始されるように構成され、
接続の確立、若しくは
データの交換の開始
の前に又はその際に、
サービス機能情報は移動体通信網から複数の通信デバイスの少なくとも一部の通信デバイスに送られ、サービス機能情報は、利用可能なサービス機能の少なくとも一部を、サービス機能のグループ内で、複数の通信デバイスの通信デバイスに示す。
【００３８】
［００３８］したがって、本発明によると、移動体通信網がサービス機能のグループにおける複数の利用可能なサービス機能を提供し及び提供することが可能であるように、移動体通信網の通信サービスを提供するためにより柔軟性が達成されるように、移動体通信網を提供することが有利なことに可能であり、したがって、様々な程度のモビリティ機能及び／又は異なる品質のサービスレベル及び／又は異なるレベルのセキュリティ対策及び／又は様々な程度の識別処理を提供するか又は提供することが可能である。
【００３９】
［００３９］本発明のさらに好ましい実施形態によれば、特に本発明の移動体通信網に関して、サービス機能選択情報は複数の通信デバイスの第１の通信デバイスによって受け取られ、サービス機能選択情報はサービス機能の少なくとも一つのグループでの一つ以上のサービス機能を少なくとも暗に示している。
【００４０】
［００４０］したがって、本発明によれば、異なる（種類の）通信デバイスへの通信サービスの提供に関するより細かい粒度を提供するために、サービス機能情報及び（サービス機能選択情報による）選択の交換が可能である。
【００４１】
［００４１］また、本発明は、複数の通信デバイスに通信サービスを提供する移動体通信に関連して用いられるように適応された通信デバイスに関し、通信デバイス及び複数の通信デバイスは移動体通信網のアクセス網を介して移動体通信網と通信するように構成され、アクセス網は複数の無線セルを含み、前記移動体通信網は、通信デバイス及び複数の通信デバイス又は複数の通信デバイスのサブセットに複数の利用可能なサービス機能を提供することが可能であり、サービス機能のグループは、
移動体通信網が提供する様々な程度のモビリティ機能、
移動体通信網が提供する異なる品質のサービスレベル、
移動体通信網が提供する異なるレベルのセキュリティ対策、
移動体通信網が提供する様々な程度の識別処理、
を少なくとも含み、
通信デバイスは移動体通信網との間で接続を確立するか又はデータの交換を開始するように構成され、
接続の確立、若しくは
データの交換の開始
の前に又はその際に、
サービス機能情報が移動体通信網から通信デバイスによって受け取られ、サービス機能情報は、利用可能なサービス機能の少なくとも一部を、サービス機能のグループ内で、通信デバイスに示し、サービス機能情報が通信デバイスによってアクセス網に送られ、サービス機能選択情報はサービス機能の少なくとも一つのグループでの一つ以上のサービス機能を少なくとも暗に示している。
【００４２】
［００４２］したがって、本発明によると、移動体通信網がサービス機能のグループにおける複数の利用可能なサービス機能を提供し及び提供することが可能であるように、移動体通信網の通信サービスを提供するためにより柔軟性が達成されるように、移動体通信網を提供することが有利なことに可能であり、したがって、様々な程度のモビリティ機能及び／又は異なる品質のサービスレベル及び／又は異なるレベルのセキュリティ対策及び／又は様々な程度の識別処理を提供するか又は提供することが可能である。
【００４３】
［００４３］本発明は、移動体通信網の通信サービスを複数の通信デバイスに提供するシステムに関し、システムは移動体通信網及び複数の通信デバイスを含み、移動体通信網はアクセス網及びコア網を含み、アクセス網は移動体通信網の複数の無線セルを含み、移動体通信網は複数利用可能なサービス機能を複数の通信デバイス又は複数の通信デバイスのサブセットに提供することが可能であり、利用可能なサービス機能はサービス機能のグループに対応し、サービス機能のグループは、
移動体通信網が提供する様々な程度のモビリティ機能、
移動体通信網が提供する異なる品質のサービスレベル、
移動体通信網が提供する異なるレベルのセキュリティ対策、
移動体通信網が提供する様々な程度の識別処理、
を少なくとも含み、
システムは、移動体通信網は移動体通信網と複数の通信デバイスとの間に、接続が確立されるか、又はデータの交換が開始されるように構成され、
接続の確立、若しくは
データの交換の開始
の前に又はの際に、
サービス機能情報は移動体通信網から複数の通信デバイスの少なくとも一部の通信デバイスに送られ、サービス機能情報は、利用可能なサービス機能の少なくとも一部を、サービス機能のグループ内で、複数の通信デバイスの通信デバイスに示す。
【００４４】
［００４４］したがって、本発明によると、移動体通信網がサービス機能のグループにおける複数の利用可能なサービス機能を提供し及び提供することが可能であるように、移動体通信網の通信サービスを通信デバイスに提供するためにより柔軟性が達成されるように、システムを提供することが有利なことに可能であり、したがって、様々な程度のモビリティ機能及び／又は異なる品質のサービスレベル及び／又は異なるレベルのセキュリティ対策及び／又は様々な程度の識別処理を提供するか又は提供することが可能である。
【００４５】
［００４５］また、本発明は、どのコンピュータ可読プログラムコードを含む、プログラムに関する。
【００４６】
［００４６］さらにまた、本発明は、通信デバイスの複数の移動体通信網の通信サービスを提供するコンピュータプログラム製品に関し、コンピュータプログラム製品は記憶媒体に格納されたコンピュータプログラムを含み、コンピュータプログラムはプログラムコードを含み、それは、コンピュータ及び／又は移動体通信網のネットワークノードまたは複数のネットワークノード及び／又は通信デバイス、又は一部は移動体通信網のネットワークノード又は複数のネットワークノード及び一部は通信デバイスで実行されるとき、コンピュータ及び／又はネットワークノード又は複数のネットワークノード及び／又は通信デバイスに本発明の方法を実施させる。
【００４７】
［００４７］本発明のこれら及び他の特性、特徴及び利点は、一例として、本発明の原理を図示する添付図面と併せて、以下の詳細な説明から明らかになろう。明細書は、本発明の範囲を限定することなく、例示のためのみに与えられている。以下に引用される参照図は、添付の図面を参照する。
【図面の簡単な説明】
【００４８】
【図１】［００４８］図１は、移動体通信網及び複数の通信デバイスを示している。
【図２】［００４９］図２は、移動体通信網と通信デバイスとの間の情報交換を示している。
【発明を実施するための形態】
【００４９】
［００５０］本発明は、特定の実施形態に関して及び特定の図面を参照して説明するが、本発明は、それらに限定されることはなく、特許請求の範囲によってのみ限定される。記載された図面は、概略的であり、非限定的である。図面において、幾つかの要素のサイズは誇張されていることもあり、例示の目的のため正しいスケールで描かれはていない。
【００５０】
［００５１］単数名詞を参照するときに不定冠詞又は定冠詞、例えば“ａ”、“ａｎ”、“ｔｈｅ”が使用されるが、これは特記しない限りその複数名詞も含む。
【００５１】
［００５２］また、明細書及び特許請求の範囲における第１、第２、第３などが同様の要素の間で区別するために必ずしも順番に又は経時順序でなく使用される。そのように使用される用語は適切な状況で交換可能であり、本明細書に記載された発明の実施の形態は本明細書に記載又は図示されたのとは異なる順序で動作が可能であることが理解されるべきである。
【００５２】
［００５３］図１において、移動体通信網１００、特に公衆陸上移動体網１００が概略的に示され、移動体通信網１００はアクセス網１１０及びコア網１２０を含んでいる。移動体通信網１００は、好ましくは、典型的には複数のネットワークセル（又は無線セル）を含むセルラー通信網であり、二つの隣接するネットワークセル（又は無線セル）は図１において参照符号１０及び１１によって示されている。移動体通信網１００は、典型的には、複数のユーザ機器又は通信デバイスを含んでいる。複数のユーザ機器又は通信デバイスは、参照符号２１、２２、２３によって参照され、符号２１は第１のユーザ機器又は第１の通信デバイスを参照し、符号２２は第２のユーザ機器又は第２の通信デバイスを参照し、符号２３は第３のユーザ機器又は第３の通信デバイスを参照している。移動体通信網１００のアクセス網１１０は、例示的な図１において、（第２の）無線セル１０にサービスを提供する第１の基地局エンティティ１１１を含んでいる。また、隣接する（第２）の無線セル１１にサービスを提供する隣接する（第２の）基地局エンティティ１１２が概略的に示されている。基地局１１１，１１２は、典型的には、基地局又は基地局エンティティ、例えばノードＢ又はｅノードＢの基地送信局である。
【００５３】
［００５４］移動体通信網１００が通信デバイス２１、２２、２３に通信サービスを提供するために、移動体通信網１００と一つ以上の通信デバイス２１、２２、２３との間で接続が確立されること、及び／又は移動体通信網１００と一つ以上の通信デバイス２１、２２、２３との間でデータの交換が開始されることが必要である。
本発明によれば、移動体通信網１００と通信デバイス２１、２２、２３との間の接続の確立の前に、若しくは一つ（又は複数）の通信デバイス２１、２２、２３と移動体通信網１００との間の接続の確立の際に、サービス機能情報（以下、参照符号２０１によって指定される。図２を参照されたい）が移動体通信網１００から通信デバイス２１、２２、２３の一つに送られ、サービス機能情報２０１は、サービス機能のグループ内で、移動体通信網１００の利用可能なサービス機能の少なくとも一部を一つ（又は複数）の通信デバイス２１、２２、２３に示している。代替的に又は累積的に通信デバイス２１、２２、２３の一つと移動体通信網１００との間のデータの交換の開始の前に、若しくは一つ（又は複数）の通信デバイス２１、２２、２３と移動体通信網１００との間のデータ交換の開始（又は複数）の際に、サービス機能情報２０１が移動体通信網１００から一つ（又は複数）の通信デバイス２１、２２、２３に送信され、サービス機能情報２０１は、サービス機能のグループ内で、移動体通信網１００の利用可能なサービス機能の少なくとも一部を一つ（又は複数）の通信デバイス２１、２２、２３に示している。
【００５４】
［００５５］移動体通信網１００は、複数の利用可能なサービス機能をすべての通信デバイス２１、２２、２３又は通信デバイス２１、２２、２３のサブセットのいずれかに提供することが可能である。利用可能なサービス機能は、サービス機能のグループに対応している。本発明によれば、サービス機能のグループは、様々な程度のモビリティ機能を提供する移動体通信網１００及び／又は異なる品質のサービスレベルを提供する移動体通信網１００及び／又は異なるレベルのセキュリティ対策を提供する移動体通信網１００及び／又は様々な程度の識別処理を提供する移動体通信網１００を少なくとも含んでいる。
【００５５】
［００５６］好ましくは、サービス機能情報２０１は、専用の信号化によって、又はブロードキャスト制御チャネルが通信デバイス２１、２２、２３の少なくとも一部によって受信されるようにブロードキャスト制御チャネル（ＢＣＣＨ）で送信される。サービス機能情報２０１は、好ましくは、（典型的には、ブロードキャスト制御チャネルでこの情報を提供することができる特定のブロードキャストメッセージによって）ブロードキャスト制御チャネルのＳＩＢ（システム情報ブロック）を使用して送信される。代替的に又は累積的に、サービス機能情報２０１は、専用の信号化（例えば、特定の通信デバイス２１、２２、２３のコンテキスト起動）を用いて送信することができる。
【００５６】
［００５７］サービス機能選択情報（以下では符号２０２によって指定される。図２を参照。）が少なくとも一つの通信デバイス２１、２２、２３（例えば、第１の通信デバイス２１又は第２の通信デバイス２２）によってアクセス網１１０に送信されることがさらに好ましい。サービス機能選択情報は、（第１又は第２の）通信デバイス２１、２２が選ぶ（又は予約する）サービス機能の少なくとも一つのグループでのサービス機能の一つ以上を少なくとも暗に示している。
【００５７】
［００５８］図２において、移動体通信網１００と通信デバイス２１、２２、２３（又はその少なくとも一部、すなわち、第１及び／又は第２及び／又は第３の通信デバイス２１、２２、２３）との間の情報の交換が、通信線図によって模式的に示されている。第１の時点で、サービス機能情報２０１は、移動体通信網１００（すなわち、移動体通信網のネットワークノード、典型的にはアクセス網１１０のネットワークノード）から通信デバイス２１、２２、２３（又はその少なくとも一部、すなわち、第１及び／又は第３及び／又は第３の通信デバイス２１、２２、２３）に送信される。第２の時点で、サービス機能選択情報２０２は、通信デバイス２１、２２、２３の少なくとも一つから移動体通信網１００、典型的にはアクセス網１１０のネットワークノードに送信される。第１の所定の時点は無線セル１０，１１内のすべての通信デバイス２１、２２、２３及び無線セル１０、１１内のブロードキャスト送信によって送信されたサービス機能情報２０１について等しくすることができる。第２の所定の時点は、それぞれの通信デバイス２１、２２、２３について個別に変化することがあり、すなわち、サービス機能選択情報２０２の送信は異なる通信デバイス２１、２２、２３について異なる時点で発生することがある。
【００５８】
［００５９］（サービス機能の特定のグループ内で）予約可能なサービス又はサービス機能は、典型的には、（モバイルアクセス、ＷＬＡＮホットスポットアクセス又はマシン対マシンユースケースのような）ユースケース及び／又はアクセスモードに従い変化する。（例えば、サービス機能情報２０１によってサービス機能の全てのグループが提供されるスマートホンのような）他のクラスの通信デバイス２１、２２、２３と比較すると、（例えば、スマートメータ、センサのようなマシン対マシンが可能なデバイスのような）特定のクラスの通信デバイス２１、２２、２３について、異なるサービス機能及びサービス機能のグループ（例えば、マシン体マシンが可能な通信デバイスについて異なる程度の識別処理を提供するサービス機能のグループのサービス機能のみ）が（サービス機能情報２０１による）移動体通信網１００によって提供されることは、同様に可能であり、本発明により好ましい。加えて、又は累積的に、適切なサービス機能の選択は、通信デバイス２１、２２、２３によって実施されることが可能であり、好ましい。
【００５９】
［００６０］可能なユースケースの最初の例はマシン対マシン通信による、すなわち、マシン型通信が可能な通信デバイス２１、２２、２３を使用するスマートメータ、ことに関する。このユースケースでは、様々な程度の識別処理を提供するサービス機能のグループは、移動体通信網１００によって提供され、及び／又は通信デバイス２１、２２、２３によって選択されることになる。
【００６０】
［００６１］可能なユースケースの他の例はマシン対マシン通信による、すなわち、マシン型通信が可能な通信デバイス２１、２２、２３を使用するコンテナ通信に関する。このユースケースでは、
様々な程度のモビリティ機能、
異なるレベルセキュリティ対策、
様々な程度の識別処理、
を提供するサービス機能のグループが、移動体通信網１００によって提供され、及び／又は通信デバイス２１、２２、２３によって選択されることになる。
【００６１】
［００６２］あり得るユースケースのさらに他の例は、スマートホンの使用に関する。このユースケースでは、
様々な程度のモビリティ機能、
異なる品質のサービスレベル、
異なるレベルセキュリティ対策、
様々な程度の識別処理、
を提供するサービス機能のグループが、移動体通信網１００によって提供され、及び／又は通信デバイス２１、２２、２３によって選択されることになる。
【００６２】
［００６３］様々な程度のモビリティ機能を提供する移動体通信網１００に関連したサービス機能のグループの例は、
モビリティのサポートなし（例えば、ユーザ機器又は通信デバイスは、働いている無線セルから自動的に離れた場合には、次の無線セルを選択しなければならない。）、
ベストエフォート型のモビリティのサポート（例えば、移動体通信網１００は、セル選択のための候補無線セルを提供し、他のモビリティ関連機能は端末ベースである。）、
コンテキスト転送のサポート（ユーザ機器や通信デバイスが新たな無線セルをひとたびピックアップすると、（上述のシナリオとは異なり）新しい登録は求められないが、利用可能なコンテキストは以前の無線セルから取り出される）、
ターゲットの無線セルの準備なしの完全なモビリティのサポート（例えば、移動体通信網１００によって制御される。）、
ターゲットの無線セルの準備ありの完全なモビリティのサポート（例えば、移動体通信網１００によって制御される。）、
ターゲットの無線セルの準備なしの完全なモビリティのサポート（例えば、移動体通信網１００によって制御される。）であって、（パケット損失なしでシームレスにハンドオーバーするために）ターゲットの無線セルが輻輳する場合に備える、
の一つ以上を含んでいる。
【００６３】
［００６４］異なる品質のサービスレベルを提供する移動体通信網１００に関連するサービス機能のグループの例は、
規定されたサービスの品質（“ベストエフォート”）なし、
保証されたビットレート、
最小ビットレート、
低データ処理の優先順位、
標準データ処理の優先順位、
高データ処理の優先度、
許容される最大パケット遅延、
の一つ以上を含んでいる。
【００６４】
［００６５］異なるレベルのセキュリティ対策を提供する移動体通信網１００に関連するサービス機能のグループの例は、
セキュリティのサポートが全くない（例えば、提供されたネットワークによって保護された暗号化及び完全性がない）、
低レベルのセキュリティのサポート（例えば、提供されたネットワークにより提供される６４ビットの暗号化）、
高レベルのセキュリティのサポート（例えば、提供されたネットワークにより提供される例えば５１２ビットの暗号化）、
高い完全性の保護のセキュリティのサポート（例えば、接続による偽のメッセージ及びデータを避けるためにすべてのメッセージ及びユーザデータの完全性が保護されている。）、
から一つ以上を含んでいる。
【００６５】
［００６６］様々な程度の識別処理を提供する移動体通信網１００に関連するサービス機能のグループの例は、
前記移動体通信網１００による識別サポートなし、
移動体通信網（１００）による識別サポートあり（例えば、ネットワークオペレータが通信デバイス（顧客／デバイス）の識別を保証する。）、
の一つ以上を含んでいる。
【００６６】
［００６７］本発明によれば、移動体通信網１００によって提供されたサービス機能又はサービス機能のグループは、通信デバイス２１、２２、２３によって使用された接続ごと及び／又はアプリケーションごとに選択される。また、本発明によれば、移動体通信網１００によって提供されるサービス機能又はサービス機能のグループは、移動体通信網１００の状況、典型的には移動体通信網１００の現在の負荷に依存し、例えば、移動体通信網１００によって提供される暗号化機能は移動体通信網１００の現在のネットワーク負荷に依存した異なるレートで提供されることがある（すなわち、オフピーク時間には強力な暗号化が安価に提供されることがある）。
【図１】
0006431179.tif 000002
【図２】
0006431179.tif 000003